(57)【要約】【課題】  撮影に必要な複数の情報を、ユーザーの好みの位置、フォント、大きさで表示できるカメラを提供する。【解決手段】  選択手段により表示部に表示する撮影情報を選択することが可能であり、前記選択手段は前記表示部に表示する撮影情報の中から、表示サイズ及びフォントを変更する撮影情報を選択し、選択された撮影情報の表示サイズ及びフォントを選択及び変更することが可能であり、ＣＰＵは、前記選択手段により変更された撮影情報の表示サイズ及びフォントに基づいて、前記表示手段を駆動し、前記表示部に撮影情報を表示する。【選択図】        図４
2005250009.tif 000002
【特許請求の範囲】
【請求項１】
撮影に関する複数の撮影情報を表示する為のカメラの異なる面に配置された少なくとも一つの表示部と、該表示部に前記撮影情報を表示させる為の表示手段と、前記複数の撮影情報のうち、少なくとも一つの撮影情報を任意に選択可能な選択手段と、前記表示手段を駆動するＣＰＵとを含むカメラにおいて、
前記選択手段により前記表示部に表示する撮影情報を選択することが可能であり、
前記選択手段は前記表示部に表示する撮影情報の中から、表示サイズ及びフォントを変更する撮影情報を選択し、選択された撮影情報の表示サイズ及びフォントを選択及び変更することが可能であり、
前記ＣＰＵは、前記選択手段により変更された撮影情報の表示サイズ及びフォントに基づいて、前記表示手段を駆動し、前記表示部に撮影情報を表示することを特徴とするカメラの表示装置。
【請求項２】
撮影に関する複数の撮影情報を表示する為のカメラの異なる面に配置された少なくとも一つの表示部と、該表示部に前記撮影情報を表示させる為の表示手段と、前記複数の撮影情報のうち、少なくとも一つの撮影情報を任意に選択可能な選択手段と、前記表示手段を制御・駆動するＣＰＵとを含むカメラにおいて、
前記選択手段により前記表示部に表示する撮影情報を選択することが可能であり、
前記選択手段は前記表示部に表示する撮影情報の中から、表示領域を設定する撮影情報を選択し、選択された撮影情報の表示領域を前記選択された撮影情報の表示される表示部内において設定することが可能であり、
前記ＣＰＵは、前記選択手段により設定された撮影情報の表示領域に基づいて、前記表示手段を駆動し、前記表示部に撮影情報を表示することを特徴とするカメラの表示装置。
【請求項３】
撮影に関する複数の撮影情報を表示する為のカメラの異なる面に配置された複数の表示部と、該表示部に前記撮影情報を表示させる為の複数の表示手段と、前記複数の撮影情報のうち、少なくとも一つの撮影情報を任意に選択可能な選択手段と、前記表示手段を駆動するＣＰＵとを含むカメラにおいて、
前記選択手段からの出力に応じて、前記複数の表示部において表示される前記複数の撮影情報のうち、少なくとも一つを前記複数の表示部の間で移動及び入れ替えするための情報移動手段を備え、
前記選択手段により、前記複数の表示部の間で移動及び入れ替えする撮影情報を前記複数の表示部ごとにおいて選択し、
前記ＣＰＵは、前記選択された撮影情報の前記情報移動手段からの出力に基づいて、前記表示手段を駆動し、前記選択された撮影情報を前記複数の表示部の間で移動及び入れ替えて前記表示部に撮影情報を表示することを特徴とするカメラの表示装置。
【請求項４】
前記カメラは、撮影目的別に設定された撮影モードを備え、該撮影モードごとに異なる表示情報に基づいた表示形態を備えることを特徴とする請求項１または２に記載のカメラの表示装置。
【請求項５】
前記表示部は、前記カメラの異なる面に配置された液晶表示部であることを特徴とする請求項１または２に記載のカメラの表示装置。
【発明の詳細な説明】
【技術分野】
【０００１】
本発明は、カメラの表示装置に関するものである。
【背景技術】
【０００２】
従来、カメラの表示装置は、表示部に予め設定された撮影情報を複数同時に表示するものが提供されている。しかしながら、このような表示装置では予め設定された撮影情報が限られた表示領域に同時に表示され、また、撮影情報の表示／非表示，表示サイズ，フォント，表示領域といった表示情報の変更もできないため、撮影情報が混在して、撮影者が確認しづらいという欠点がある。
【０００３】
これに対して、複数の撮影情報を集合的に表示する第１の表示形態と、選択された少なくとも一つの撮影情報を前記第１の表示形態よりも拡大して表示する第２の表示形態のうち、いずれかを単一の表示部に選択的に表示させることにより、撮影情報の視認性を向上させる提案がなされている（下記特許文献１）。
【０００４】
この表示装置では、選択された撮影情報が拡大表示されるため、個別の撮影情報の視認性は向上するものの、撮影情報の表示サイズ，フォント，表示領域といった表示情報までは撮影者が選択及び変更できない為、表示部全体での視認性と言う点で課題が残る。
【０００５】
また、複数の撮影情報を表示するカメラの異なる面に配置された複数の表示部を有するカメラにおいては、各表示部に予め設定された撮影情報を複数同時に表示するものが提供されている。このような表示装置では、撮影者によっては、撮影に必要とする撮影情報がカメラの異なる面に配置された複数の表示部で離散的に表示されることにもなり、撮影情報を確認するためにカメラの異なる面に配置された複数の表示部を確認する必要が生じる。
【特許文献１】特開平４−２８１４３８号公報
【発明の開示】
【発明が解決しようとする課題】
【０００６】
前述した従来の手法では、予め設定された複数の撮影情報が限られた表示領域に同時に表示されるため、複数表示される撮影情報のうち、個別の撮影情報は小さくて、その撮影情報の内容の認識が必ずしも容易ではなかった。
【０００７】
しかも、個別の撮影情報の表示／非表示，表示サイズ，フォント，表示領域といった表示情報の変更もできないため、複数の撮影情報が混在して、撮影情報の内容の認識が必ずしも容易ではなかった。
【０００８】
また、複数の撮影情報を集合的に表示する第１の表示形態と、撮影者が選択した少なくとも一つの撮影情報を前記第１の表示形態よりも拡大して表示する第２の表示形態のうち、いずれかを単一の表示部に選択的に表示させることにより、撮影情報の視認性を向上させる前記特許文献１の提案では、選択された個別の撮影情報が拡大表示されるため、個別の撮影情報の視認性は向上するものの、撮影情報の表示サイズ，フォント，表示領域といった表示情報までは撮影者が選択及び変更できない為、表示部全体の視認性と言う点で問題があった。
【０００９】
また、カメラの異なる面に配置された複数の表示装置を有するカメラにおいては、各表示部に予めカメラに設定された撮影情報を複数同時に表示するため、撮影者によっては、撮影に必要とする撮影情報がカメラの異なる面に配置された複数の表示部で離散的に表示されることになり、撮影情報を確認するために撮影者が視認容易な面に配置された表示部だけでなく、他の面に配置された表示部まで確認する必要が生じるという問題があった。
【００１０】
本発明は、この様な従来の問題点に鑑みてなされたもので、同時に複数の撮影情報を表示することが可能であり、かつ個別の撮影情報の表示が容易に認識可能であり、さらにカメラの異なる面に配置された複数の表示部を有する場合においては、撮影に必要とされる撮影情報を、撮影者が視認容易な面に配置された表示部に移動可能なカメラの表示装置を提供することを課題とする。
【課題を解決するための手段】
【００１１】
前記課題を解決する手段として、
第一に、撮影に関する複数の撮影情報を表示する為のカメラの異なる面に配置された少なくとも一つの表示部と、該表示部に前記撮影情報を表示させる為の表示手段と、前記複数の撮影情報のうち、少なくとも一つの撮影情報を任意に選択可能な選択手段と、前記表示手段を駆動するＣＰＵとを含むカメラにおいて、
前記選択手段により前記表示部に表示する撮影情報を選択することが可能であり、
前記選択手段は前記表示部に表示する撮影情報の中から、表示サイズ及びフォントを変更する撮影情報を選択し、選択された撮影情報の表示サイズ及びフォントを選択及び変更することが可能であり、
前記ＣＰＵは、前記選択手段により変更された撮影情報の表示サイズ及びフォントに基づいて、前記表示手段を駆動し、前記表示部に撮影情報を表示することを特徴とするカメラの表示装置を構成した。
【００１２】
第二に、撮影に関する複数の撮影情報を表示する為のカメラの異なる面に配置された少なくとも一つの表示部と、該表示部に前記撮影情報を表示させる為の表示手段と、前記複数の撮影情報のうち、少なくとも一つの撮影情報を任意に選択可能な選択手段と、前記表示手段を制御・駆動するＣＰＵとを含むカメラにおいて、
前記選択手段により前記表示部に表示する撮影情報を選択することが可能であり、
前記選択手段は前記表示部に表示する撮影情報の中から、表示領域を設定する撮影情報を選択し、選択された撮影情報の表示領域を前記選択された撮影情報の表示される表示部内において設定することが可能であり、
前記ＣＰＵは、前記選択手段により設定された撮影情報の表示領域に基づいて、前記表示手段を駆動し、前記表示部に撮影情報を表示することを特徴とするカメラの表示装置を構成した。
【００１３】
第三に、撮影に関する複数の撮影情報を表示する為のカメラの異なる面に配置された複数の表示部と、該表示部に前記撮影情報を表示させる為の複数の表示手段と、前記複数の撮影情報のうち、少なくとも一つの撮影情報を任意に選択可能な選択手段と、前記表示手段を駆動するＣＰＵとを含むカメラにおいて、
前記選択手段からの出力に応じて、前記複数の表示部において表示される前記複数の撮影情報のうち、少なくとも一つを前記複数の表示部の間で移動及び入れ替えするための情報移動手段を備え、
前記選択手段により、前記複数の表示部の間で移動及び入れ替えする撮影情報を前記複数の表示部ごとにおいて選択し、
前記ＣＰＵは、前記選択された撮影情報の前記情報移動手段からの出力に基づいて、前記表示手段を駆動し、前記選択された撮影情報を前記複数の表示部の間で移動及び入れ替えて前記表示部に撮影情報を表示することを特徴とするカメラの表示装置を構成した。
【００１４】
第四に、前記カメラとは、撮影目的別に設定された撮影モードを備え、該撮影モードごとに異なる表示情報に基づいた表示形態を備えることを特徴とする請求項１及び２に記載のカメラの表示装置を構成した。
【００１５】
第五に、前記表示部とは、前記カメラの異なる面に配置された液晶表示部であることを特徴とする請求項１及び２に記載のカメラの表示装置を構成した。
【００１６】
第一、第二、第四の作用として、カメラの異なる面に配置された少なくとも一つの表示部において、複数の撮影情報が集合的にまたは、撮影者が必要とする撮影情報のみを表示可能であるため、撮影情報の視認性が向上する。また、撮影者自信が表示サイズ，フォント，表示領域といった表示情報を設定可能なため、撮影者の視認容易な表示情報で撮影情報を表示でき、表示部全体の視認性が向上する。
【００１７】
第三、第五の作用として、カメラの異なる面に配置された複数の表示部において表示される複数の撮影情報のうち、撮影者が撮影に必要とする撮影情報が、カメラの異なる面に配置された複数の表示部に離散的に表示される場合においても、撮影者が視認容易な面に配置された表示部に、撮影者が必要とする撮影情報を移動可能なため、カメラの異なる面に配置された複数の表示部を有するカメラにおいて、撮影情報の視認性及び操作の迅速性が向上する。
【発明の効果】
【００１８】
請求項１，２，４において、
複数の撮影情報を同時に知りたいときは、複数の撮影情報の集合的な同時表示を選択し、必要な撮影情報のみを視認容易に知りたいときは、個別の撮影情報の表示／非表示，表示サイズ，フォント，表示領域といった表示情報を撮影者自身が設定することにより、撮影者が必要とする撮影情報のみを視認容易な表示サイズ，フォント，表示領域で表示することが可能である。従って、撮影情報は、全体的に把握することも容易であり、かつ必要とする撮影情報のみでも視認容易な表示情報のもとに視認可能である。
【００１９】
請求項３，５において、
複数の撮影情報を表示するカメラの異なる面に配置された複数の表示部を有するカメラにおいて、
カメラの異なる面に配置された複数の表示部において表示される複数の撮影情報のうち、撮影者が撮影に必要とする撮影情報が、カメラの異なる面に配置された複数の表示部に離散的に表示される場合においても、撮影者が視認容易な面に配置された表示部に、撮影者が必要とする撮影情報を移動可能なため、カメラの異なる面に配置された複数の表示部を有するカメラにおいて、撮影者が視認容易な面に配置された表示部を確認するだけで、撮影に必要とする撮影情報が確認可能であり、撮影情報の視認性及び操作の迅速性が向上する。
【発明を実施するための最良の形態】
【００２０】
以下本発明を実施するための最良の形態を、実施例により詳しく説明する。
【実施例】
【００２１】
本実施例のカメラは、複数の撮影情報を表示するカメラの異なる面に配置された複数の表示部を有するオートフォーカスカメラである。
【００２２】
本発明の第１の実施例を図１〜６で説明する。図１は本実施例の液晶表示装置を搭載したカメラの外観図である。図２〜３は液晶表示装置の表示部に各種の撮影に関する情報が表示されている状態を示す図、図４は撮影情報の表示情報の設定状態を示す図である。図５は第一及び第二の実施例のブロック図を示している。図６は表示情報選択シーケンスを示している。
【００２３】
図１において、１ａはカメラ本体、２はカメラの外部液晶表示装置の表示部、１ｂ〜１ｄは選択部材である。１ｂは選択ダイヤルであり、撮影情報及び表示領域及びフォントの選択を行い、１ｃは変更釦、１ｄはリセット釦である。
【００２４】
図５において、ＣＰＵ（５ａ）には選択手段（５ｂ）（図１の選択ダイヤル１ｂに対応）、変更手段（５ｃ）（図１の変更釦１ｃに対応）、リセット手段（５ｄ）（図１のリセット釦１ｄに対応）がそれぞれ接続している。更にＣＰＵ（５ａ）には表示手段５ｅ及び５ｆ（図２及び図３の液晶表示装置に対応）が接続されており、ＣＰＵ（５ａ）により、表示手段５ｅ及び５ｆが駆動される。また、ＣＰＵ（５ａ）と選択手段（５ｂ）及び（５ｃ）の間には、情報移動手段（５ｇ）が接続されている。
【００２５】
図２に示す液晶表示装置の表示部２はドット式のものであり、各種の撮影に関する表示図として表示されている。個々の図形についてはそれぞれ次のような撮影情報を表している。図形（２ａ）は露出モードがマニュアルモード（絞りとシャッタスピードを撮影者が選択するモード）に設定されていることを、図形（２ｂ）は測光モードが評価測光モード（ファインダー内に占める主被写体の大きさ、位置、明るさ、背景、順光、逆光、など複雑な光の要素をカメラが判断し、主被写体を常に適正な露出値にするモード）に設定されていることを、図形（２ｃ）はシャッタ速度（１／２５０）を、図形（２ｄ）は絞り（Ｆ１１）を、図形（２ｅ）はフィルムまたはＣＣＤなどの撮像素子のＩＳＯ感度を、図形（２ｆ）はＡＦモードがワンショットＡＦ（レリーズ釦を半押しすると、ＡＦ機構が作動し、１回だけピントを合わせるモード）に設定されていることを、図形（２ｇ）はストロボ調光補正していることを、図形（２ｈ）は装填されているフィルムまたはフラッシュメモリの撮影可能枚数（２４枚）を、図形（２ｉ）はフィルム給送モードが１コマ撮影（レリーズ釦を押し続けても１コマのみの撮影を行うモード）に設定されていることを、図形（２ｊ）は露出補正量を表すバーグラフをそれぞれ表している。
【００２６】
次に表示情報の変更について図４において説明する。図２の表示の状態において、変更釦（１ｃ）を長押し（２秒以上）すると、図４（ａ）に示すように、ＣＰＵ（５ａ）の制御に基づいて表示部２内に、一つの撮影情報を囲む選択フレーム（４ａ）が表示され、撮影情報選択画面に切り替わる（図４（ａ）左図）。選択フレーム（４ａ）はフレームによって囲まれている撮影情報を選択していることを表している。選択フレーム（４ａ）は選択ダイヤル（１ｂ）を回転することにより、表示部２内で移動することが可能である。露出に関する情報を示す図形（２ａ）に選択フレーム（４ａ）を合わせ、変更釦（１ｃ）を押して決定することにより、ＣＰＵ（５ａ）は図形（２ａ）により表される露出に関する情報を、表示部２に表示する撮影情報として認識する。選択、決定された撮影情報はＣＰＵ（５ａ）の制御に基づいて表示部２から消去され、その撮影情報が既に選択、決定された状態であること表している（図４（ａ）右図）。同様に、シャッタ速度を示す図形（２ｃ）、フィルムまたはフラッシュメモリの撮影可能枚数を示す図形（２ｈ）、絞りを示す図形（２ｄ）の順に選択、決定し、表示部２に表示したい撮影情報を全て選択した状態で、再び変更釦（１ｃ）を長押し（２秒以上）することにより表示部２に表示する撮影情報の選択が完了し、ＣＰＵ（５ａ）の制御に基づいて自動的に表示部２に表示されている図形は全消去され、表示領域選択画面（図４（ｂ））に切り替わる。
【００２７】
図４（ｂ）に示すように、ＣＰＵ（５ａ）は撮影情報選択画面において選択された撮影情報の数（本実施例では４個）に基づいて、自動的に選択した撮影情報の表示領域を割り当て、表示部２を分割するライン（４ｂ，４ｃ）を表示する。選択した撮影情報は、撮影情報選択画面（図４（ａ））において選択された撮影情報の順に、図４（ｂ）に示すように配置される。表示領域選択画面に切り替わった状態で、一つの分割ライン（４ｂ）がハイライトされた状態になっており（図４（ｂ）左図）、分割ライン（４ｂ）が選択されていることを表している。選択ダイヤル（１ｂ）を回転することにより、選択された分割ラインを移動することができ、選択ダイヤル（１ｂ）を時計回りに回転することにより、分割ライン（４ｂ）は紙面右方向に移動し、反時計回りに回転させることにより、分割ライン（４ｂ）は紙面左方向に移動し、撮影情報の表示領域変更が可能である。選択されている分割ライン（４ｂ）の表示領域が決定したら、変更釦（１ｃ）を押すことにより、分割ライン（４ｃ）がハイライトされ（図４（ｂ）右図）、選択されている分割ラインが４ｃに切り替わる。選択ダイヤル（１ｂ）を時計回りに回転することにより、分割ライン（４ｃ）は紙面下方向に移動し、反時計回りに回転させることにより、分割ライン（４ｃ）は紙面上方向に移動し、撮影情報の表示領域変更が可能である。全ての表示領域が決定した後、変更釦（１ｃ）を長押し（２秒以上）することにより表示領域選択が完了し、撮影情報選択画面において選択した４個の撮影情報の表示領域が決定する。ＣＰＵ（５ａ）の制御に基づいて自動的に表示部２に表示されている分割ライン（４ｂ，４ｃ）は全消去され、図形の表示サイズ及び文字情報のフォントを選択する画面に切り替わる（図４（ｃ））。ここで、撮影情報選択画面（図４（ａ））において文字情報を選択していない場合は、ＣＰＵ（５ａ）の制御に基づいて、文字情報のフォントを選択する項目（表示部２内右列）は表示されずに、図形の表示サイズのみを選択する画面となる（不図示）。
【００２８】
図４（ｃ）に示すように、表示サイズ及びフォントの選択画面では表示部２内の左側に図形の表示サイズを示す項目が表示され、右側に文字情報のフォントを示す項目が表示される。表示サイズ及びフォントの選択画面に切り替わった状態で、一つの表示サイズを囲む選択フレーム（４ｄ）が表示され、選択フレーム（４ｄ）はフレームによって囲まれているフォントを選択していることを表している（図４（ｃ）左図）。選択ダイヤル（１ｂ）を時計回りに１クリック回転すると、選択フレームは現在選択している表示サイズ（Ｍｉｄｄｌｅ）の一つ下の表示サイズ（Ｌａｒｇｅ）に移動し、半時計回りに１クリック回転すると、現在選択している表示サイズ（Ｍｉｄｄｌｅ）の一つ上の表示サイズ（Ｓｍａｌｌ）に移動する。表示サイズ（Ｌａｒｇｅ）を選択した状態で、変更釦（１ｃ）を押すと、表示サイズが決定される。表示サイズが決定されると、表示サイズの一つを囲む選択フレーム（４ｄ）が消去され、代わって一つのフォントを囲む選択フレーム（４ｅ）が表示され、文字情報のフォントの選択状態になる。選択フレーム（４ｄ）はフレームによって囲まれているフォントを選択していることを表している。選択ダイヤル（１ｂ）を時計回りに１クリック回転すると、選択フレームは現在選択しているフォント（ゴシック）の一つ下のフォント（イタリック）に移動し、半時計回りに１クリック回転すると、現在選択しているフォント（ゴシック）の一つ上のフォント（明朝）に移動する。フォント（イタリック）を選択した状態で、変更釦（１ｃ）を押すと、フォントが決定され、図４（ｄ）に示すようにＣＰＵ（５ａ）は撮影者が設定した表示情報に基づいた表示形態で表示部２に撮影情報を表示する。
【００２９】
図２の表示形態から図４（ｄ）の表示形態へと変化させることに際しては、液晶表示装置の表示部２のいずれのドットを点灯させて所望の表示をさせるかをＣＰＵ（５ａ）が制御することで達成される。
【００３０】
撮影者が設定した表示情報に基づいた表示形態は３つまで登録可能であり、登録された表示形態はカメラに内蔵されたＲＡＭ（不図示）に記憶される。図４（ｄ）の状態で変更釦（１ｃ）を長押し（２秒以上）することにより、表示形態が登録される。登録された表示形態は、変更釦（１ｃ）を押した状態で選択ダイヤル（１ｂ）を回転することにより、呼び出され、選択ダイヤル（１ｂ）を時計回りに回転させることにより、図６（ａ）に示すように表示形態が切り替わる。選択ダイヤル（１ｂ）を半時計回りに回転させると、同図（ｂ）のごとく表示形態が切り替わる。
【００３１】
図６の１〜３は撮影目的別に予め設定された表示形態であり、１は初級者、２は中級者、３は上級者・プロ向けにそれぞれ設定されている。図４に示したように撮影者が表示形態を登録しなくとも、撮影目的別に予め設定された表示形態の中から、撮影者の撮影目的に適した表示形態を選択することも可能である。同図４〜６は撮影者により登録された表示形態に基づいて表示され、撮影者により表示形態が登録されていない場合は、何も表示されない。
【００３２】
図４（ｄ）の状態で、リセット釦（１ｄ）を押すことにより、図２の撮影情報が全表示される状態に戻る。
【００３３】
次に第２の実施例を図３及び図７〜８により説明する。第１実施例と同様又は類似の部分は説明を省略する。図２はカメラ外部の液晶表示装置（ＯＬＣ）の表示部２を、図３はファインダー内の液晶表示装置（ＩＬＣ）の表示部３をそれぞれ示しており、各種の撮影に関する情報が表示されている状態を示している。表示部２及び３はそれぞれカメラの異なる面に配置されている。図７はカメラの異なる面に配置された複数の表示部間における撮影情報の移動設定状態を示しており、図８は移動した撮影情報の表示情報設定状態を示している。
【００３４】
図３に示す液晶表示装置の表示部３はドット式のものであり、各種の撮影に関する表示図として表示されている。個々の図形についてはそれぞれ次のような撮影情報を表している。図形（３ａ）は視線検出状態であることを、図形（３ｂ）はＡＦロックまたはＦＥロック状態であることを、図形（３ｃ）はストロボが充電完了状態であることを、図形（３ｄ）はシャッタ速度（１／２５０）を、図形（３ｅ）は絞り（Ｆ１１）を、図形（３ｆ）は露出補正量を、図形（３ｇ）は合焦したことを表す合焦マークをそれぞれ表している。
【００３５】
図２及び図３のごとく、２つの液晶表示装置の表示部に撮影情報が表示された状態で、選択釦（１ｃ）を押したまま、リセット釦（１ｄ）を押すことにより、図７−１（ａ）に示すように各表示部の撮影情報の一つが選択フレーム（７ａ，７ｂ）で囲まれて、情報移動設定画面に切り替わる（図７−１（ａ））。選択フレーム（７ａ，７ｂ）はフレームによって囲まれている撮影情報を選択していることを表している。選択フレーム（７ａ，７ｂ）は選択ダイヤル（１ｂ）を回転することにより、表示部２及び３内で移動することが可能である。ただし、表示部３に表示される選択フレーム（７ｂ）は表示部２において移動する撮影情報を選択、決定するまでは選択ダイヤル（１ｂ）を回転しても移動できない。表示部２において、測光に関する情報を示す図形（２ｂ）に選択フレーム（７ａ）を合わせ（図７−１（ａ）左図）、変更釦（１ｃ）を押して決定することにより、ＣＰＵ（５ａ）は図形（２ｂ）により表される測光に関する情報を、表示部３に移動する撮影情報として認識する。選択、決定された撮影情報はＣＰＵ（５ａ）の制御に基づいて表示部２から消去され、その撮影情報が既に選択、決定された状態であることを表している（図７−１（ｂ）左図）。
【００３６】
次に、表示部３に表示されている選択フレーム（７ｂ）を選択ダイヤル（１ｂ）を回転することにより移動し、表示部２で選択した図形（２ｂ）により表される測光に関する情報と、入れ替る撮影情報を表示部３内で選択する。視線検出状態であることを示す図形（３ａ）に選択フレーム（７ｂ）を合わせ（図７−１（ａ）右図）、変更釦（１ｃ）を押して決定することにより、ＣＰＵ（５ａ）は図形（３ａ）により表される視線検出に関する情報を、表示部２で選択された図形（２ｂ）により表される測光に関する情報と入れ替る情報として認識し、図形（２ｂ）を図形（３ａ）の表示位置に移動して表示する（図７−１（ｃ））。
【００３７】
再び情報移動設定画面に戻り、表示部２及び表示部３に選択フレーム（７ａ，７ｂ）が表示される。同様に表示部２において、装填されているフィルムまたはフラッシュメモリの撮影可能枚数を表す図形（２ｈ）に選択フレーム（７ａ）を合わせ（図７−２（ｄ）左図）、変更釦（１ｃ）を押して決定することにより、ＣＰＵ（５ａ）は図形（２ｈ）により表されるフィルムまたはフラッシュメモリの撮影可能枚数に関する情報を、表示部３に移動する撮影情報として認識する。選択、決定された撮影情報はＣＰＵ（５ａ）の制御に基づいて表示部２から消去され、その撮影情報が既に選択、決定された状態であることを表している（図７−２（ｅ）左図）。
【００３８】
次に、表示部３に表示されている選択フレーム（７ｂ）を選択ダイヤル（１ｂ）を回転することにより移動し、表示部２で選択した図形（２ｈ）により表されるフィルムまたはフラッシュメモリの撮影可能枚数に関する情報と、入れ替る撮影情報を表示部３内で選択する。合焦したことを示す図形（３ｇ）に選択フレーム（７ｂ）を合わせ、変更釦（１ｃ）を押して決定することにより、ＣＰＵ（５ａ）は図形（３ｇ）により表される合焦に関する情報を、表示部２で選択された図形（２ｈ）により表されるフィルムまたはフラッシュメモリの撮影可能枚数に関する情報と入れ替る情報として認識し、図形（２ｈ）を図形（３ｇ）の表示位置に移動し、表示させる（図７−２（ｆ））。また、他の撮影情報についても同様に、表示部２と３の間で移動及び入れ替えすることが可能である。変更釦（１ｃ）を長押し（２秒以上）することにより、撮影情報の移動設定が完了し、選択フレーム（７ａ，７ｂ）が消去される（図７−２（ｇ））。
【００３９】
次に、カメラの異なる面に配置された複数の表示部間で移動した撮影情報の表示情報を選択、決定する方法について、図８において説明する。変更釦（１ｃ）を長押し（２秒以上）することにより、図４（ａ）に示すように、ＣＰＵ（５ａ）の制御に基づいて表示部２内に、一つの撮影情報を囲む選択フレーム（４ａ）が表示され、撮影情報選択画面に切り替わる。さらに、変更釦を長押し（２秒以上）した状態で、選択ダイヤル（１ｂ）を回転することにより、表示部２に表示されている選択フレーム（４ａ）が消去され、図８（ａ）左図に示すように、表示部３内に一つの撮影情報を囲む選択フレーム（８ａ）が表示され、表示部３が撮影情報選択画面に切り替わる。選択フレーム（８ａ）はフレームによって囲まれている撮影情報を選択していることを表している。選択フレーム（８ａ）は選択ダイヤル（１ｂ）を回転することにより、表示部３内で移動することが可能である。
【００４０】
表示部３において、表示部２から移動した測光に関する情報を示す図形（２ｂ）に選択フレーム（８ａ）を合わせ（図８（ａ））、変更釦（１ｃ）を押して決定することにより、ＣＰＵ（５ａ）は図形（２ｂ）によって表される測光に関する情報を、表示部３に表示する撮影情報として認識する。選択、決定された撮影情報はＣＰＵ（５ａ）の制御に基づいて表示部３から消去され、その撮影情報が既に選択、決定された状態であること表している（図８（ａ）右図）。同様に、表示部２より移動したフィルムまたはフラッシュメモリの撮影可能枚数に関する情報を示す図形（２ｈ）、シャッタ速度を示す図形（３ｄ）及び、絞り値を示す図形（３ｅ）の順に選択、決定し、再び変更釦（１ｃ）を長押し（２秒以上）することにより表示部３に表示する撮影情報の選択が完了し、ＣＰＵ（５ａ）の制御に基づいて自動的に表示部２に表示されている図形は全消去され、表示領域選択画面（図８（ｂ））に切り替わる。
【００４１】
図８（ｂ）に示すようにＣＰＵ（５ａ）は選択された撮影情報の数（本実施例の場合は４個）に基づいて、自動的に選択した撮影情報の表示領域を割り当て、表示部３を分割するライン（８ｂ〜８ｄ）を表示する。選択した撮影情報は、撮影情報選択画面（図８（ａ））において選択された撮影情報の順に、図８（ｂ）に示すように配置される。表示領域選択画面に切り替わった状態で、一つの分割ラインがハイライトされた（８ｂ）状態になっており（図８（ｂ）左図）、分割ライン（８ｂ）が選択されていることを表している。選択ダイヤル（１ｂ）を回転することにより、選択された分割ラインを移動することができ、選択ダイヤル（１ｂ）を時計回りに回転することにより、分割ライン（８ｂ）は紙面右方向に移動し、反時計回りに回転させることにより、分割ライン（８ｂ）は紙面左方向に移動し、撮影情報の表示領域変更が可能である。選択されている分割ライン（８ｂ）の表示領域が決定したら、変更釦（１ｃ）を押すことにより、他の分割ライン（８ｃ）がハイライトされ（図８（ｂ）右図）、選択されている分割ラインが８ｃに切り替わる。同様に、分割ライン（８ｃ）の表示領域も決定し、全ての撮影情報の表示領域が決定した後、変更釦（１ｃ）を長押し（２秒以上）することにより、撮影情報の表示領域選択が完了し、ＣＰＵ（５ａ）の制御に基づいて自動的に表示部３に表示されている分割ライン（８ｂ〜８ｄ）は全消去され、図形の表示サイズを選択する表示サイズ選択画面に切り替わる（図８（ｃ））。
【００４２】
図８（ｃ）に示すように、表示サイズ選択画面では表示部３内に図形の表示サイズを示す項目が表示される。表示サイズ選択画面に切り替わった状態で、一つの表示サイズを囲む選択フレーム（８ｅ）が表示され、選択フレーム（８ｅ）はフレームによって囲まれている表示サイズを選択していることを表している（図８（ｃ）左図）。選択ダイヤル（１ｂ）を時計回りに１クリック回転すると、選択フレームは現在選択している表示サイズ（Ｍｉｄｄｌｅ）の右隣の表示サイズ（Ｌａｒｇｅ）に移動し、半時計回りに１クリック回転すると、現在選択している表示サイズ（Ｍｉｄｄｌｅ）の左隣の表示サイズ（Ｓｍａｌｌ）に移動する。表示サイズ（Ｌａｒｇｅ）を選択した状態で、変更釦（１ｃ）を押すと、表示サイズが決定される。表示サイズが決定されると、表示サイズの一つを囲む選択フレーム（８ｅ）が消去され、文字情報のフォントを示す項目が表示されて、フォント選択画面に切り替わる（図８（ｄ））。フォント選択画面に切り替わった状態で一つのフォントを囲む選択フレーム（８ｆ）が表示され、選択フレーム（８ｆ）はフレームによって囲まれているフォントを選択していることを表している（図８（ｄ）左図）。選択ダイヤル（１ｂ）を時計回りに１クリック回転すると、選択フレーム（８ｅ）は現在選択しているフォント（ゴシック）の右隣のフォント（イタリック）に移動し、半時計回りに１クリック回転すると、現在選択しているフォント（ゴシック）の左隣のフォント（明朝）に移動する。フォント（イタリック）を選択した状態で、変更釦（１ｃ）を押すと、フォントが決定され、図８（ｅ）に示すようにＣＰＵ（５ａ）は撮影者が設定した表示情報に基づいた表示形態で表示部３に撮影情報を表示する。
【００４３】
図７−２（ｇ）の表示形態から図８（ｅ）の表示形態へと変化させることに際しては、液晶表示装置の表示部３のいずれのドットを点灯させて所望の表示をさせるかをＣＰＵ（５ａ）が制御することで達成される。
【００４４】
表示部２の場合と同様に、表示部３において撮影者が設定した表示情報に基づいた表示形態は３つまで登録可能であり、登録された表示情報はカメラに内蔵されたＲＡＭ（不図示）に記憶される。図８（ｅ）の状態で変更釦（１ｃ）を長押し（２秒以上）することにより、表示形態が登録される。登録された表示形態は、変更釦（１ｃ）を押した状態で選択ダイヤル（１ｂ）を回転することにより、呼び出され、選択ダイヤル（１ｂ）を時計回りに回転させることにより、図６（ａ）に示すように表示形態が切り替わる。選択ダイヤル（１ｂ）を半時計回りに回転させると、同図（ｂ）のごとく表示形態が切り替わる。
【００４５】
図６の１〜３は撮影目的別に予め設定された表示形態であり、１は初級者、２は中級者、３は上級者・プロ向けにそれぞれ設定されている。図４に示したように撮影者が表示形態を登録しなくとも、撮影目的別に予め設定された表示形態の中から、撮影者の撮影目的に適した表示形態を選択することも可能である。同図４〜６は撮影者によって登録された表示形態に基づいて表示され、撮影者により表示形態が登録されていない場合は、何も表示されない。
【００４６】
図８（ｄ）の状態で、リセット釦（１ｄ）を押すことにより、図３の撮影情報が全表示された状態に戻る。
【図面の簡単な説明】
【００４７】
【図１】実施例のカメラ本体の外観図
【図２】実施例のカメラの外部液晶表示装置の表示部を示す図
【図３】実施例のカメラのファインダー内液晶表示装置の表示部を示す図
【図４】撮影情報の表示情報設定の説明図
【図５】実施例のカメラのブロック図
【図６】表示情報選択シーケンスの説明図
【図７−１】撮影情報の移動設定の説明図
【図７−２】撮影情報の移動設定の説明図
【図８】移動した撮影情報の表示情報設定の説明図
【符号の説明】
【００４８】
１ａ    カメラ本体
１ｂ〜１ｄ    撮影情報の選択部材
２    カメラの外部液晶表示装置の表示部
３    ファインダー内液晶表示装置の表示部
５ａ    カメラ内蔵のＣＰＵ
【図１】
2005250009.tif 000003
【図２】
2005250009.tif 000004
【図３】
2005250009.tif 000005
【図４】
2005250009.tif 000006
【図５】
2005250009.tif 000007
【図６】
2005250009.tif 000008
【図７−１】
2005250009.tif 000009
【図７−２】
2005250009.tif 000010
【図８】
2005250009.tif 000011